(57)【要約】【課題】吸込みグリルにフィルタを効率良く取り付けることが可能な空気調和機を提供することを目的とする。【解決手段】空気調和機は、面内方向に対して垂直なリブ１７を有する吸込みグリル１１と、吸込みグリル１１に対して着脱可能なフィルタ１３と備え、フィルタ１３の外周を構成する枠部１９には、吸込みグリル１１とフィルタ１３が互いに固定されたときのリブ１７の位置に対応して、リブ１７を挿入することが可能な切欠き部２１が形成されている。【選択図】図３
2019135433.tif 000002
【特許請求の範囲】
【請求項１】
面内方向に対して垂直なリブを有する吸込みグリルと、
前記吸込みグリルに対して着脱可能なフィルタと、
を備え、
前記フィルタの外周を構成する第１枠部には、前記吸込みグリルと前記フィルタが互いに固定されたときの前記リブの位置に対応して、前記リブを挿入することが可能な切欠き部が形成されている空気調和機。
【請求項２】
前記吸込みグリルに設けられた第２枠部には、水平方向に突出した突起部が形成され、
前記フィルタの前記第１枠部には、前記突起部が挿入される係止穴が形成されている請求項１に記載の空気調和機。
【請求項３】
前記リブは、前記吸込みグリルの１辺において複数箇所に形成されている請求項１又は２に記載の空気調和機。
【請求項４】
前記リブは、前記吸込みグリルの前記第２枠部から前記吸込みグリルの外枠部にわたって形成されている請求項２に記載の空気調和機。
【発明の詳細な説明】
【技術分野】
【０００１】
本発明は、空気調和機に関するものである。
【背景技術】
【０００２】
天井埋込み型空気調和機において、室内ユニットの下面中央部には吸込み口が形成され、吸込み口には、吸込みグリルと、吸込みグリルの上方にフィルタが設置される。吸込みグリルは、室内ユニットの本体部に対して着脱可能である。フィルタを清掃又は交換する場合、フィルタが取り付けられた吸込みグリルが本体部から取り外され、取り外された吸込みグリルからフィルタが外される。そして、清掃された又は新しいフィルタが吸込みグリルに固定され、フィルタが固定された吸込みグリルが本体部に取り付けられる。
【０００３】
下記の特許文献１には、エアフィルタの枠部がエア吸込みの抵抗とならないように、エアフィルタの開口部を区画する枠部の内側が、吸込みグリルの吸込口を区画する枠部の外側に取り付けられることが記載されている。
【先行技術文献】
【特許文献】
【０００４】
【特許文献１】特開２００８−７５８９７号公報
【発明の概要】
【発明が解決しようとする課題】
【０００５】
吸込みグリルとフィルタを互いに固定するため、吸込みグリルの枠部には水平方向に突出した突起部が形成され、フィルタの外周に設けられた枠部に形成された係止穴に、吸込みグリルの突起部が係止される。吸込みグリルにフィルタを取り付ける場合、まず、吸込みグリルの突起部をフィルタの係止穴に挿入する必要がある。
【０００６】
しかし、吸込みグリルやフィルタのサイズに比べて、突起部や係止穴のサイズが小さいため、作業者は、突起部や係止穴を見つけにくいだけでなく、吸込みグリルにフィルタを取り付けるとき、フィルタの係止穴を吸込みグリルの突起部に対して位置合わせしづらいという問題がある。そのため、フィルタを吸込みグリルに取り付ける際、作業効率が低下している。
【０００７】
本発明は、このような事情に鑑みてなされたものであって、吸込みグリルにフィルタを効率良く取り付けることが可能な空気調和機を提供することを目的とする。
【課題を解決するための手段】
【０００８】
上記課題を解決するために、本発明の空気調和機は以下の手段を採用する。
すなわち、本発明に係る空気調和機は、面内方向に対して垂直なリブを有する吸込みグリルと、前記吸込みグリルに対して着脱可能なフィルタと備え、前記フィルタの外周を構成する第１枠部には、前記吸込みグリルと前記フィルタが互いに固定されたときの前記リブの位置に対応して、前記リブを挿入することが可能な切欠き部が形成されている。
【０００９】
この構成によれば、フィルタの外周を構成する第１枠部には切欠き部が形成されており、吸込みグリルに設けられたリブを切欠き部に挿入できる。吸込みグリルとフィルタを互いに固定する際、フィルタに形成された切欠き部に、吸込みグリルに設けられたリブを挿入することによって、フィルタが吸込みグリルに対して位置決めされる。フィルタに形成された切欠き部は、吸込みグリルとフィルタが互いに固定されたときのリブの位置に対応していることから、切欠き部にリブを挿入して位置決めすることによって、吸込みグリルとフィルタが嵌合しやすくなり、吸込みグリルにフィルタを効率良く取り付けることができる。
【００１０】
上記発明において、前記吸込みグリルに設けられた第２枠部には、水平方向に突出した突起部が形成され、前記フィルタの前記第１枠部には、前記突起部が挿入される係止穴が形成されてもよい。
【００１１】
この構成によれば、吸込みグリルに設けられた第２枠部には突起部が形成されており、水平方向に突出している。また、フィルタの第１枠部には係止穴が形成され、突起部が挿入される。これにより、吸込みグリルの突起部とフィルタの係止穴が係り合い、吸込みグリルとフィルタが互いに固定される。
【００１２】
上記発明において、前記リブは、前記吸込みグリルの１辺において複数箇所に形成されてもよい。
【００１３】
上記発明において、前記リブは、前記吸込みグリルの前記第２枠部から前記吸込みグリルの外枠部にわたって形成されてもよい。
【００１４】
これらの構成によれば、作業者は、吸込みグリルに形成されたリブを視認しやすいため、吸込みグリルにフィルタを効率良く取り付けることができる。
【発明の効果】
【００１５】
本発明によれば、吸込みグリルにフィルタを効率良く取り付けることができる。
【図面の簡単な説明】
【００１６】
【図１】本発明の一実施形態に係る天井埋込み型空気調和機の室内ユニットを示す下面図である。
【図２】図１のII−II線で切断した縦断面図である。
【図３】本発明の一実施形態に係る吸込みグリル及びフィルタを示す斜視図であり、吸込みグリルとフィルタが離れた状態を示す。
【図４】本発明の一実施形態に係る吸込みグリル及びフィルタを示す斜視図であり、吸込みグリルにフィルタの１辺を載置した状態を示す。
【図５】図４の部分拡大斜視図である。
【図６】本発明の一実施形態に係る吸込みグリル及びフィルタを示す部分拡大縦断面図である。
【発明を実施するための形態】
【００１７】
以下に、本発明の一実施形態に係る天井埋込み型空気調和機について、図面を参照して説明する。なお、本明細書では、天井埋込み型空気調和機に本発明を適用する場合について説明するが、本発明はこの例に限定されず、吸込みグリルにフィルタを着脱できる構成を有すれば、他の形式の空気調和機でもよい。
【００１８】
天井埋込み型空気調和機（以下「空気調和機」という。）は、室内ユニット１と、室外ユニット（図示せず。）と、室内ユニット１及び室外ユニットとを結ぶ冷媒配管（図示せず。）などを備える。
室内ユニット１は、ケース本体２が天井に埋込まれて設置される。ケース本体２の内部には、図２に示すように、熱交換器７、ドレンパン１０、モータ５、送風機６、ベルマウス１２等が内蔵され、このケース本体２の下部には天井面に露出する天井パネル８が装着される。図１は、室内ユニット１を室内側から見た、すなわち室内ユニット１の下面から見た下面図であり、図２は、図１のII−II線で切断した縦断面図である。
【００１９】
室内ユニット１の下面中央部には吸込み口３が形成され、この吸込み口３に隣接した位置に、室内ユニット１の下面外周部に沿って一方向に長い吹出し口４が形成される。吸込み口３には、吸込みグリル１１と、吸込みグリル１１の上方にフィルタ１３とが設置される。ドレンパン１０は、熱交換器７の下部に設けられ、熱交換器７から滴下するドレン水を受ける。ベルマウス１２は、ドレンパン１０の下部に設けられる。天井パネル８は、吸込み口が形成された本体部の一例である。
【００２０】
空気調和機が運転すると、図示しない室外ユニットからの冷媒が熱交換器７を循環し、モータ５によって送風機６が駆動される。送風機６の駆動によって、室内空気が吸込み口３から吸込みグリル１１、フィルタ１３を通り、ベルマウス１２に案内されて送風機６へ吸入される。そして、吸入された空気は、熱交換器７を通過することで、冷却又は加熱され、その後、吹出し口４から室内へ吹き出される。
【００２１】
吸込みグリル１１は、吸込み口３の上流側に設けられ、天井パネル８に対して着脱可能である。吸込みグリル１１は、図３及び図４に示すように、四角形状を有するプラスチック製のパネル状部材であり、外枠部１４と、外枠部１４の内側に設けられるグリル部１５とを有する。
【００２２】
外枠部１４は、ほぼ四角形状を有し、各辺を構成する部材は板状部材である。外枠部１４の板状部材の板面は、吸込みグリル１１の面内方向に対して垂直である。
【００２３】
グリル部１５には、格子が構成される。グリル部１５には、フィルタ１３を保護しつつ、吸込み時の圧力損失が上昇しすぎない程度の開口率を有する複数の開口部が形成される。開口部の形状は、図１等に示す例では六角形であるが、長方形、正方形など他の多角形形状でもよい。グリル部１５は、各辺において、外枠部１４と平行に設けられた枠部１６を有する。
【００２４】
グリル部１５の枠部１６は、ほぼ四角形状を有し、各辺を構成する部材は板状部材である。枠部１６の板面は、吸込みグリル１１の面内方向に対して垂直である。枠部１６の内部にグリル部１５が設置される。
【００２５】
枠部１６の外周面には、枠部１６から水平方向に突出した突起部１８が形成される。すなわち、突起部１８の突出方向は、吸込みグリル１１の面内方向に対して平行である。突起部１８の突出長さは、枠部１６に対向する外枠部１４まで到達しない長さであり、かつ、フィルタ１３の係止穴２２と係り合うことが可能な長さである。
【００２６】
外枠部１４とグリル部１５の枠部１６との間には、リブ１７が設けられる。リブ１７は、板状部材であり、リブ１７の板面が吸込みグリル１１の面内方向に対して垂直になるように設けられる。リブ１７は、吸込みグリル１１の剛性を高めることもできる。リブ１７の一端は外枠部１４に接続され、リブ１７の他端は枠部１６に接続される。リブ１７の長手方向は、リブ１７に接続される外枠部１４又は枠部１６に対して垂直である。リブ１７は、外枠部１４又は枠部１６の各辺において複数本、例えば５本〜９本ずつ設置される。
【００２７】
フィルタ１３は、四角形状を有するプラスチック製の枠部１９と、枠部１９に設置される網状の濾材（図示せず。）を有する。フィルタ１３は、吸込みグリル１１に対して着脱可能である。
【００２８】
枠部１９は、フィルタ１３の外周を構成する。枠部１９の外周面には、枠部１９から水平方向に張り出し部２０が形成される。すなわち、張り出し部２０の突出方向は、フィルタ１３の面内方向に対して平行である。張り出し部２０は、例えば、枠部１９の長手方向に沿って長い形状を有する。張り出し部２０の張り出し長さは、フィルタ１３が吸込みグリル１１に設置されたとき、吸込みグリル１１の外枠部１４まで到達しない長さである。
【００２９】
張り出し部２０には、枠部１９とは反対側の端部において切欠き部２１が形成される。切欠き部２１は、枠部１９の１辺の長手方向に対して垂直な方向に切り欠かれている。切欠き部２１の幅は、吸込みグリル１１に設けられたリブ１７を挿入できる長さである。
【００３０】
切欠き部２１は、吸込みグリル１１とフィルタ１３が互いに固定されたときのリブ１７の位置及び数に対応して形成される。吸込みグリル１１とフィルタ１３を互いに固定する際、図４及び図５に示すように、フィルタ１３に形成された切欠き部２１に、吸込みグリル１１に設けられたリブ１７を挿入することによって、フィルタ１３が吸込みグリル１１に対して位置決めされる。
【００３１】
フィルタ１３に形成された切欠き部２１は、吸込みグリル１１とフィルタ１３が互いに固定されたときのリブ１７の位置に対応している。したがって、切欠き部２１にリブ１７を挿入して位置決めすることによって、吸込みグリル１１の枠部１６とフィルタ１３の枠部１９が嵌合し、かつ、突起部１８と係止穴２２が係合しやすくなるため、吸込みグリル１１にフィルタ１３を効率良く取り付けることができる。
【００３２】
図３、図５及び図６に示すように、フィルタ１３の枠部１９には、フィルタ１３の面内方向に対して水平な板材１９Ａと垂直な板材１９Ｂが互いに結合された部分があり、当該部分に係止穴２２が形成される。吸込みグリル１１とフィルタ１３が互いに固定されたときの突起部１８の位置及び数に対応して形成される。係止穴２２には突起部１８が挿入される。これにより、図６に示すように、吸込みグリル１１の突起部１８とフィルタ１３の係止穴２２が係り合い、吸込みグリル１１とフィルタ１３が互いに固定される。
【００３３】
フィルタ１３の張り出し部２０と係止穴２２は、フィルタ１３において同一辺に設けられる。これにより、張り出し部２０に形成された切欠き部２１を、吸込みグリル１１のリブ１７に対して位置合わせしながら、吸込みグリル１１の突起部１８をフィルタ１３の係止穴２２に挿入できる。
【００３４】
次に、吸込みグリル１１に対するフィルタ１３の取り付け方法について説明する。
吸込みグリル１１にフィルタ１３を取り付ける場合、吸込みグリル１１の突起部１８をフィルタ１３の係止穴２２に挿入する。そのため、まず、図４及び図５に示すように、フィルタ１３の張り出し部２０に形成された切欠き部２１を、吸込みグリル１１のリブ１７に対して位置合わせする。そして、吸込みグリル１１に対してフィルタ１３を垂直又は傾けた状態で、フィルタ１３に形成された切欠き部２１に、吸込みグリル１１に設けられたリブ１７を挿入する。
【００３５】
これにより、フィルタ１３が吸込みグリル１１に対して位置決めされる。このとき、吸込みグリル１１の突起部１８の位置が、フィルタ１３の係止穴２２の位置に対応していることから、吸込みグリル１１の突起部１８をフィルタ１３の係止穴２２に挿入しやすい。
【００３６】
次に、吸込みグリル１１の突起部１８をフィルタ１３の係止穴２２に挿入した状態で、突起部１８及び係止穴２２の位置を支点にして、吸込みグリル１１にフィルタ１３を重ね合わせるようにフィルタ１３を回動させる。そして、吸込みグリル１１にフィルタ１３が重ね合わされたとき、吸込みグリル１１の突起部１８とフィルタ１３の係止穴２２が係合したままとなり、吸込みグリル１１とフィルタ１３を互いに固定することができる。
【００３７】
従来、フィルタ１３には、本実施形態に係る切欠き部２１が形成されていなかったことから、作業者は、吸込みグリル１１にフィルタ１３を取り付けるとき、フィルタ１３の係止穴２２を吸込みグリル１１の突起部１８に対して位置合わせしづらい。これに対し、本実施形態によれば、フィルタ１３に形成された切欠き部２１に、吸込みグリル１１に設けられたリブ１７を挿入することによって、フィルタ１３が吸込みグリル１１に対して位置決めされる。
【００３８】
リブ１７は、吸込みグリル１１の１辺に複数箇所に形成されており、また、吸込みグリル１１の枠部１６から外枠部１４にわたって長く形成されていることから、吸込みグリル１１に形成された突起部１８に比べて作業者はリブ１７を視認しやすい。また、リブ１７の板面は面内方向に対して垂直に設けられており、水平方向に突出した突起部１８を係止穴２２に挿入する場合に比べて、切欠き部２１にリブ１７を挿入しやすい。そして、フィルタ１３に形成された切欠き部２１は、吸込みグリル１１とフィルタ１３が互いに固定されたときのリブ１７の位置に対応している。以上より、切欠き部２１にリブ１７を挿入して位置決めすることによって、吸込みグリル１１の枠部１６とフィルタ１３の枠部１９が嵌合し、かつ、突起部１８と係止穴２２が係合しやすくなるため、吸込みグリル１１にフィルタ１３を効率良く取り付けることができる。
【符号の説明】
【００３９】
１      ：室内ユニット
２      ：ケース本体
３      ：吸込み口
４      ：吹出し口
５      ：モータ
６      ：送風機
７      ：熱交換器
８      ：天井パネル
１０    ：ドレンパン
１１    ：吸込みグリル
１２    ：ベルマウス
１３    ：フィルタ
１４    ：外枠部
１５    ：グリル部
１６    ：枠部
１７    ：リブ
１８    ：突起部
１９    ：枠部
１９Ａ  ：板材
１９Ｂ  ：板材
２０    ：張り出し部
２１    ：切欠き部
２２    ：係止穴
【図１】
2019135433.tif 000003
【図２】
2019135433.tif 000004
【図３】
2019135433.tif 000005
【図４】
2019135433.tif 000006
【図５】
2019135433.tif 000007
【図６】
2019135433.tif 000008